(57)【要約】【課題】撮像装置、撮像装置の制御方法、およびプログラムを提供する。【解決手段】  撮像部と、投影部と、画像データを再生するための処理を行う再生処理部と、前記撮像部が撮像を行う撮像モードと、前記再生処理部が再生処理を行う再生モードとを少なくとも含む動作モードを切り替える制御部と、を備え、前記制御部は、前記動作モードが再生モードに切り替えられた場合に、前記投影部の起動処理を開始する、撮像装置。【選択図】図１
2012070292.tif 000002
【特許請求の範囲】
【請求項１】
撮像部と、
投影部と、
画像データを再生するための処理を行う再生処理部と、
前記撮像部が撮像を行う撮像モードと、前記再生処理部が再生処理を行う再生モードとを少なくとも含む動作モードを切り替える制御部と、
を備え、
前記制御部は、前記動作モードが再生モードに切り替えられた場合に、前記投影部の起動処理を開始する、撮像装置。
【請求項２】
前記制御部は、前記起動処理の終了後、かつ前記投影部による投影開始の指示が入力された後に、前記投影部による投影を開始させる、請求項１記載の撮像装置。
【請求項３】
前記撮像装置は、表示部をさらに備え、
前記再生モードにおいては、画像データの選択画面が前記表示部に表示され、前記選択画面から画像データが選択されると、前記再生処理部が前記選択された画像データを再生する、請求項２記載の撮像装置。
【請求項４】
前記制御部は、前記再生モードにおいて前記起動処理が行われている間、前記投影部の起動処理を実行中である旨を前記表示部に表示させる、請求項３記載の撮像装置。
【請求項５】
前記制御部は、前記再生モードにおいて前記起動処理の実行中に投影開始指示が入力された場合は、前記投影部の起動処理を実行中である旨を前記表示部に表示させる、請求項３記載の撮像装置。
【請求項６】
前記制御部は、前記再生モードにおいて前記起動処理が終了後、かつ前記投影部による投影開始の指示が入力されていない間は、前記投影部の起動処理が終了している旨を前記表示部に表示させる、請求項３記載の撮像装置。
【請求項７】
前記投影部の起動処理は、前記投影部の初期設定を行う処理を含む、請求項３に記載の撮像装置。
【請求項８】
前記投影部の起動処理は、前記投影部の光源からの光を遮断する蓋が閉じられている状態で前記投影部の光源を点灯させる処理を含み、前記投影部が投影を開始する際に前記蓋が開かれる、請求項３に記載の撮像装置。
【請求項９】
前記投影部の光源は高圧水銀ランプである、請求項８記載の撮像装置。
【請求項１０】
撮像部が撮像を行う撮像モードと、再生処理部が再生処理を行う再生モードとを少なくとも含む動作モードにおいて、前記動作モードを前記再生モードに切り替えるステップと、
前記再生モードに切り替えられた場合に、投影部の起動処理を開始するステップと、
を含む、撮像装置の制御方法。
【請求項１１】
コンピュータを、
撮像部が撮像を行う撮像モードと、再生処理部が再生処理を行う再生モードとを少なくとも含む動作モードにおいて、前記動作モードを前記再生モードに切り替えられた場合に、投影部の起動処理を開始する制御部、
として機能させるための、プログラム。
【発明の詳細な説明】
【技術分野】
【０００１】
本発明は、撮像装置、撮像装置の制御方法、およびプログラムに関する。
【背景技術】
【０００２】
近日、小型プロジェクターを搭載した撮像装置が提案されている。この撮像装置によれば、撮像により取得したコンテンツをプロジェクターから投影できるので、表示装置を用いることなく大勢のユーザでコンテンツを観賞することが可能である（例えば、特許文献１参照）。
【０００３】
このような撮像装置では、被写体の撮像を行なうモードや、コンテンツを再生するモードを含む動作モードを切り替える操作が行なわれる。
【先行技術文献】
【特許文献】
【０００４】
【特許文献１】特開２００８−２５２６０２号公報
【発明の概要】
【発明が解決しようとする課題】
【０００５】
上述した動作モードを切り替える操作が行なわれると、撮像装置は切り替えられたモードに応じた制御を行なう。例えば、コンテンツを再生するモードに切り替えられた場合は、撮像装置は複数のサムネイルから成るインデックス画面を表示装置に表示させる。利用者は、表示されたサムネイルから再生するコンテンツを選択することができる。
【０００６】
ここで、投影開始操作が行なわれると、撮像装置はプロジェクターの起動処理を行い、起動処理の終了後、画面を投影する。かかるプロジェクターの起動処理には時間がかかるため、利用者は投影開始操作後から投影開始まで待機しなければならず、ストレスを感じるという問題があった。
【０００７】
このようなプロジェクターの起動処理に時間がかかる要因としては、例えばプロジェクターで利用される光源の明るさが安定するまで時間がかかることが考え得る。特に高圧水銀ランプを光源として有するプロジェクターの場合は、光源の明るさが安定するまで数十秒かかる。その他の光源として、例えばＬＥＤ（Ｌｉｇｈｔ  Ｅｍｉｔｔｉｎｇ  Ｄｉｏｄｅ）を利用する場合は、大幅に光源点灯の時間を短縮できるため、数秒でプロジェクターを起動できるが、数秒の起動時間であっても利用者はストレスを感じる。
【０００８】
そこで、本発明は、上記問題に鑑みてなされたものであり、本発明の目的とするところは、速やかにプロジェクターからの投影を開始することが可能な、新規かつ改良された撮像装置、撮像装置の制御方法、およびプログラムを提供することにある。
【課題を解決するための手段】
【０００９】
上記課題を解決するために、本発明のある観点によれば、撮像部と、投影部と、画像データを再生するための処理を行う再生処理部と、前記撮像部が撮像を行う撮像モードと、前記再生処理部が再生処理を行う再生モードとを少なくとも含む動作モードを切り替える制御部と、を備え、前記制御部は、前記動作モードが再生モードに切り替えられた場合に、前記投影部の起動処理を開始する、撮像装置が提供される。
【００１０】
また、前記制御部は、前記起動処理の終了後、かつ前記投影部による投影開始の指示が入力された後に、前記投影部による投影を開始させてもよい。
【００１１】
また、前記撮像装置は、表示部をさらに備え、前記再生モードにおいては、画像データの選択画面が前記表示部に表示され、前記選択画面から画像データが選択されると、前記再生処理部が前記選択された画像データを再生してもよい。
【００１２】
また、前記制御部は、前記再生モードにおいて前記起動処理が行われている間、前記投影部の起動処理を実行中である旨を前記表示部に表示させてもよい。
【００１３】
また、前記制御部は、前記再生モードにおいて前記起動処理の実行中に投影開始指示が入力された場合は、前記投影部の起動処理を実行中である旨を前記表示部に表示させてもよい。
【００１４】
また、前記制御部は、前記再生モードにおいて前記起動処理が終了後、かつ前記投影部による投影開始の指示が入力されていない間は、前記投影部の起動処理が終了している旨を前記表示部に表示させてもよい。
【００１５】
また、前記投影部の起動処理は、前記投影部の初期設定を行う処理を含んでもよい。
【００１６】
また、前記投影部の起動処理は、前記投影部の光源からの光を遮断する蓋が閉じられている状態で前記投影部の光源を点灯させる処理を含み、前記投影部が投影を開始する際に前記蓋が開かれてもよい。
【００１７】
また、前記投影部の光源は高圧水銀ランプであってもよい。
【００１８】
また、上記課題を解決するために、本発明の別の観点によれば、撮像部が撮像を行う撮像モードと、再生処理部が再生処理を行う再生モードとを少なくとも含む動作モードにおいて、前記動作モードを前記再生モードに切り替えるステップと、前記再生モードに切り替えられた場合に、投影部の起動処理を開始するステップと、を含む撮像装置が提供される。
【００１９】
また、上記課題を解決するために、本発明の別の観点によれば、コンピュータを、撮像部が撮像を行う撮像モードと、再生処理部が再生処理を行う再生モードとを少なくとも含む動作モードにおいて、前記動作モードを前記再生モードに切り替えられた場合に、投影部の起動処理を開始する制御部、として機能させるためのプログラムが提供される。
【発明の効果】
【００２０】
以上説明したように本発明によれば、速やかにプロジェクターからの投影を開始することが可能である。
【図面の簡単な説明】
【００２１】
【図１】本発明の実施形態による撮像装置の外観を示す斜視図である。
【図２】本発明の実施形態による撮像装置の外観を示す斜視図である。
【図３】プロジェクターモジュールの構成を示した説明図である。
【図４】撮像画面の具体例を示した説明図である。
【図５】インデックス画面の具体例を示した説明図である。
【図６】再生画面の具体例を示した説明図である。
【図７】本発明の第１の実施形態による撮像装置の構成を示したブロック図である。
【図８】本発明の第１の実施形態による撮像装置の動作処理を示すフローチャートである。
【図９】図８に示すフロー中の投影準備処理を示すフローチャートである。
【図１０】図８に示すフロー中の投影開始処理を示すフローチャートである。
【図１１】主制御部により生成されるインデックス画面の具体例を示した説明図である。
【図１２】主制御部により生成されるインデックス画面の具体例を示した説明図である。
【図１３】本発明の第２の実施形態によるプロジェクターモジュールの構成を示した説明図である。
【図１４】本発明の第２の実施形態による撮像装置の投影準備処理を示すフローチャートである。
【発明を実施するための形態】
【００２２】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２３】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２４】
また、以下に示す項目順序に従って当該「発明を実施するための形態」を説明する。
１．本発明の実施形態による撮像装置の基本構成
２．第１の実施形態
２−１．撮像装置の構成
２−２．撮像装置の動作
３．第２の実施形態
４．まとめ
【００２５】
＜１．本発明の実施形態による撮像装置の基本構成＞
本発明は、一例として「２．第１の実施形態」〜「３．第２の実施形態」において詳細に説明するように、多様な形態で実施され得る。また、各実施形態において説明する撮像装置（１）は、
Ａ：画面を投影する投影部（プロジェクターモジュール１８）と、
Ｂ：撮像装置の動作モードを切り替える制御部（１００）と、を備え、
Ｃ：制御部（１００）は、動作モードが再生モードに切り替えられた場合に、投影部の起動処理を開始する。
【００２６】
以下では、まず、このような各実施形態において共通する基本構成について図１〜図６を参照して説明する。
【００２７】
図１および図２は、本発明の実施形態による撮像装置１の外観を示す斜視図である。図１に示したように、撮像装置１は、本体４、ヒンジ機構６、および開閉部８を備える。なお、図１および図２には撮像装置の一例として撮像装置１（ビデオカメラ）を示しているが、撮像装置はかかる例に限定されない。例えば、撮像装置は、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔｓ）、家庭用ゲーム機器、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００２８】
撮像装置１の本体４は、ズーム操作部２１と、マニュアル操作部２２と、静止画撮像操作部２３と、モード操作部２４と、投影切替操作部２５と、撮像光学系３１と、を備える。
【００２９】
撮像光学系３１は、被写体から発せられる光を集光する撮影レンズおよびズームレンズを備え、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの信号変換部に被写体像を形成する撮像部である。被写体像が信号変換部に形成されると、被写体像は信号変換部により電気的な画像信号に変換される。
【００３０】
ズーム操作部２１は、撮像光学系３１の焦点距離を変更するためのユーザ操作を受け付ける。ズーム操作部２１は、図１に示したように例えばワイド側またはテレ側に傾倒可能なレバーで構成される。この場合、撮像光学系３１は、当該レバーがワイド側に傾倒されると焦点距離を短くし（被写体像を縮小し）、当該レバーがテレ側に傾倒されると焦点距離を長くする（被写体像を拡大する。）。
【００３１】
マニュアル操作部２２は、撮像光学系３１の焦点を合わせるためのユーザ操作を受け付ける。マニュアル操作部２２は、図１に示したように例えば時計周り、または反時計周りに回転可能なダイヤルで構成される。この場合、撮像光学系３１は、当該ダイヤルの回転方向および回転量に応じて焦点位置を調整する。
【００３２】
静止画撮像操作部２３は、静止画を撮像するためのユーザ操作を受け付ける。静止画撮像操作部２３は、図１に示したように例えば押圧式のボタンで構成される。この場合、撮像装置１は、当該ボタンの押圧に応じて静止画を撮像することにより、静止画の画像データを取得する。
【００３３】
モード操作部２４は、撮像装置１の動作モードを切り替えるためのユーザ操作を受け付ける。ここで、撮像装置１の動作モードは、一例として撮影モードと再生モードとに大別される。また、モード操作部２４は、図１に示したように例えば押圧式のボタンで構成される。この場合、撮像装置１は、当該ボタンの押圧に応じて動作モードを撮影モードと再生モードとの間で切り換える。
【００３４】
なお、撮影モードは、撮像光学系３１および信号変換部などを動作させることにより被写体を撮像するための動作モードである。一方、再生モードは、例えば撮影モードにおいて取得された画像データを再生するための動作モードである。これら動作モードの詳細については図４〜図６を参照して後述する。
【００３５】
投影切替操作部２５は、撮像装置１により生成した画面をプロジェクターモジュール１８から投影するか否かを切り替えるためのユーザ操作を受け付ける。例えば、投影切替操作部２５は、図１に示したように例えば押圧式のボタンで構成される。この場合、撮像装置１は、当該ボタンの押圧に応じて画面をプロジェクターモジュール１８から投影するか否かを切り替える。なお、画面がプロジェクターモジュール１８から投影されている間、タッチパネル１２は、投影画面と同一の画面を表示してもよいし、投影画面と異なる画面を表示してもよいし、画面を非表示にしてもよい。
【００３６】
以上、撮像装置１の本体４の構成を説明した。続いて、本体４にヒンジ機構６を介して連結される開閉部８の構成を説明する。
【００３７】
開閉部８は、ヒンジ機構６により、図２に示した第１回転軸Ｌ１回り、および第１回転軸Ｌ１と直交する第２の回転軸Ｌ２回りに回転可能に本体４と連結されている。図１には、開閉部８が本体４に対して閉じられた状態を示しており、図２には、開閉部８が第１回転軸Ｌ１回りに回転することにより本体４に対して開かれた状態を示している。
【００３８】
このような開閉部８は、図１に示したように、一方の面にプロジェクターモジュール１８を備え、図２に示したように、他方の面にタッチパネル１２を備える。
【００３９】
タッチパネル１２は、表示機能および操作検出機能を有する操作表示部の一例である。タッチパネル１２は、撮影モードにおいては撮像光学系３１により集光されている被写体の画像を表示し、再生モードにおいては後述のインデックス画面または再生画面などを表示することができる。また、ユーザは、タッチパネル１２を操作することにより撮像装置１に各種指示や情報を入力することも可能である。
【００４０】
プロジェクターモジュール１８は、撮像装置１により生成された画面を投影する投影部である。プロジェクターモジュール１８は、投影切替操作部２５に対するユーザ操作に応じ、例えば後述のインデックス画面または再生画面などを投影することができる。以下、図３を参照し、このプロジェクターモジュール１８の詳細な構成を説明する。
【００４１】
図３は、プロジェクターモジュール１８の構成を示した説明図である。図３に示したように、プロジェクターモジュール１８は、光源１８２と、光像表示部１８４と、投影レンズ１８６と、を備える。
【００４２】
光源１８２は、白色光を射出する白色ＬＥＤ（Ｌｉｇｈｔ  Ｅｍｉｔｔｉｎｇ  Ｄｉｏｄｅ）、および白色ＬＥＤからの射出光を拡散して光像表示部１８４に射出する光学系から構成される。なお、本実施形態においては光源１８２が白色ＬＥＤで構成される例に重きをおいて説明するが、光源１８２の構成はかかる例に限定されない。例えば、光源１８２は高圧水銀ランプで構成されてもよい。
【００４３】
光像表示部１８４は、投影するための画面を表示する液晶パネルである。光像表示部１８４に表示された画面は、光源１８２からの射出光により投影レンズ１８６に供給される。投影レンズ１８６は、光像表示部１８４に表示された画面を投影面に結像させる。
【００４４】
（撮影モードおよび再生モード）
以上、本発明の実施形態による撮像装置１の基本構成を説明した。続いて、撮像装置１の動作モードである撮影モードおよび再生モードについて説明する。
【００４５】
撮影モードは、撮像光学系３１および信号変換部などを動作させることにより被写体を撮像するための動作モードである。この撮影モードにおいては、図４に示すように、撮像光学系３１による被写体の撮像画面Ｒがタッチパネル１２に表示される。さらに、撮像画面Ｒが録画中である場合、撮像画面Ｒには図４に示したように録画マーク６２が付加される。
【００４６】
なお、撮影モードにおいてユーザにより静止画撮像操作部２４が押圧された場合、撮像装置１は、被写体の静止画を撮像して静止画の画像データを取得する。
【００４７】
そして、撮影モードにおいてユーザによりモード操作部２４が押圧されると、撮像装置１は動作モードを再生モードに切り替える。再生モードは、コンテンツデータを再生するための動作モードである。このため、撮像装置１は、再生モードへの切替後、再生対象のコンテンツデータをユーザが選択するためのインデックス画面Ｉを生成する。
【００４８】
図５は、インデックス画面Ｉの具体例を示した説明図である。図５に示したように、インデックス画面Ｉは、複数のコンテンツデータの各々に対応するサムネイルｓ１、ｓ２、ｓ３・・・を含む。なお、コンテンツデータは、撮像装置１が撮像により取得した画像データであってもよいし、外部から取得された画像データであってもよい。また、コンテンツデータのデータ種別は画像データに限定されず、コンテンツデータのデータ種別は、音声データ、ゲーム、またはソフトウェアなどであってもよい。また、各サムネイルｓは静止画であってもよいし、動画であってもよい。
【００４９】
また、インデックス画面Ｉは、上方スクロールボタン６４および下方スクロールボタン６６を含み、ユーザは、上方スクロールボタン６４または下方スクロールボタン６６を選択することにより、インデックス画面Ｉを任意の方向にスクロールすることができる。
【００５０】
また、ユーザは、インデックス画面Ｉにおいてカーソル６８を所望のサムネイルに合わせることにより、再生対象のコンテンツデータを選択することができる。そして、ユーザによりコンテンツデータの選択が決定されると、撮像装置１は、選択されたコンテンツデータの再生を開始し、当該コンテンツデータの再生画面を生成する。
【００５１】
図６は、コンテンツデータの再生画面Ｐの具体例を示した説明図である。図６に示したように、コンテンツデータの再生画面Ｐは、停止ボタン７１、巻き戻しボタン７２、再生／一時停止ボタン７３、早送りボタン７４、およびリターンボタン７６を含む。
【００５２】
撮像装置１は、ユーザにより停止ボタン７１、巻き戻しボタン７２、再生／一時停止ボタン７３、または早送りボタン７４が選択されると、選択されたボタンに応じてコンテンツデータの再生を制御する。例えば、撮像装置１は、ユーザにより停止ボタン７１が選択されると、コンテンツデータの再生を停止する。また、撮像装置１は、ユーザによりリターンボタン７６が選択されると、コンテンツデータの再生を停止し、インデックス画面Ｉを生成する。
【００５３】
なお、上記では撮影モードと再生モードの切替えがモード操作部２４へのユーザ操作に応じて行われる例を説明したが、モード切替えのトリガはかかる例に限定されない。例えば、撮像装置１は、撮像画面Ｒに再生モードへの切替用ボタンを付加し、再生モードへの切替用ボタンがユーザにより選択された場合に動作モードを再生モードに切り替えてもよい。同様に、撮像装置１は、インデックス画面Ｉや再生画面Ｐに撮影モードへの切替用ボタンを付加し、撮影モードへの切替用ボタンがユーザにより選択された場合に動作モードを撮影モードに切り替えてもよい。
【００５４】
また、インデックス画面Ｉの構成は図５に示した例に限定されない。例えば、インデックス画面Ｉは、画像データに関連する地図上の位置（例えば、撮像位置）に当該画像データのサムネイルが重畳された画面であってもよいし、画像データに関連する時間軸上の位置（例えば、撮像日時）に当該画像データのサムネイルが重畳された画面であってもよい。
【００５５】
また、撮像装置１は、再生モードにおいて、上記のインデックス画面Ｉや再生画面Ｐをタッチパネル１２に表示することも、プロジェクターモジュール１８から投影することも可能である。
【００５６】
（本発明の実施形態に至る経緯）
撮像装置１において、上述した動作モードの切り替えが操作されると、撮像装置１は切り替えられたモードに応じた制御を行なう。例えば、撮影モード中に、モード操作部２４が操作され、再生モードに切り替えられた場合は、撮像装置１は例えばインデックス画面Ｉをタッチパネル１２に表示させる。ユーザはインデックス画面Ｉに含まれるサムネイルから再生するコンテンツを選択することができる。
【００５７】
さらに、投影切替操作部２５が操作され、投影開始の指示を受け付けると、撮像装置１はプロジェクターの起動処理を行う。起動処理が終了すると、インデックス画面Ｉをプロジェクターモジュール１８から投影する。
【００５８】
ここで、プロジェクターの起動処理には以下のような要因により時間がかかっていた。例えば、プロジェクターが利用する光源の明るさが安定するまでの時間が考え得る。特に高圧水銀ランプを光源として有するプロジェクターの場合は、光源の明るさが安定するまで数十秒かかる。その他の光源として、例えばＬＥＤ（Ｌｉｇｈｔ  Ｅｍｉｔｔｉｎｇ  Ｄｉｏｄｅ）を利用する場合は、大幅に光源点灯の時間を短縮できるが、数秒の起動時間はかかる。また、プロジェクターの各種初期設定も時間のかかる要因となっていた。
【００５９】
このように、プロジェクターの起動処理には時間がかかり、ユーザは投影切替操作部２５を操作してからプロジェクターモジュール１８からの投影が開始されるまで待機しなければならず、ユーザにとってストレスになるという問題があった。
【００６０】
そこで、上記事情を一着眼点にして本発明の実施形態を創作するに至った。本発明の各実施形態によれば、撮像装置１の動作モードが再生モードに切り替えられた場合に、投影部の起動処理を予め開始することが可能である。以下、このような本発明の各実施形態について詳細に説明する。
【００６１】
＜２．第１の実施形態＞
（２−１．撮像装置の構成）
図７は、本発明の第１の実施形態による撮像装置１の構成を示したブロック図である。図７に示したように、本発明の第１の実施形態による撮像装置１は、制御部１０、撮影部３０および記録再生処理部４０を備えている。
【００６２】
撮影部（撮像部）３０は、撮影光学系３１、光学系制御部３２、信号変換部３３、画像信号処理部３４、音声入力部３５および音声信号処理部３６を備える。
【００６３】
撮影光学系３１は、内部に、被写体を撮像するためのレンズ群、絞り調整機構、フォーカス調整機構、ズーム機構、シャッター機構、フラッシュ機構、および、手ぶれ補正機構などを備え、信号変換部３３に被写体像を形成する。
【００６４】
光学系制御部３２は、制御部１０からの制御信号を受けて、撮影光学系３１に供給する制御信号を生成する。そして、光学系制御部３２は、生成した制御信号を撮影光学系３１に供給し、ズーム制御、シャッター制御、および、露出制御などの制御を行う。
【００６５】
信号変換部３３は、上述したように例えばＣＣＤやＣＭＯＳなどの撮像素子により構成される。この信号変換部３３は、操作入力部２０に対するユーザ操作に基づいて制御部１０から画像取り込みタイミング信号が供給されると、撮影光学系３１により結像面に形成された被写体像を電気的な画像信号に変換し、画像信号処理部３４に供給する。なお、撮影モードにおいては制御部１０から画像取り込みタイミング信号が連続的に供給されるので、信号変換部３３は連続的に被写体像の画像信号の変換を行うことにより、複数フレームの画像信号を取得する。
【００６６】
画像信号処理部３４は、制御部１０からの制御信号に基づいて、画像信号についてのガンマ補正やＡＧＣ（Ａｕｔｏ  Ｇａｉｎ  Ｃｏｎｔｒｏｌ）などの処理を行うとともに、画像信号をデジタル形式に変換する処理も行う。
【００６７】
音声入力部３５は、撮影モード時に被写体周辺の音声を収集する。音声入力部３５は、収集した音声を電気的な音声信号に変換して音声信号処理部３６に供給する。音声信号処理部３６は、制御部１０からの制御信号に基づいて、音声信号についての補正やＡＧＣなどの処理を行うとともに、音声信号をデジタル形式に変換する処理も行う。
【００６８】
また、記録再生処理部４０は、図７に示したように、符号化／復号部４１、ディスクインターフェース４２、記憶装置４４、出力処理部４５およびバッファメモリ４６を備え、再生部および記録部として機能する。
【００６９】
符号化／復号部４１は、撮影部３０から供給される画像信号および音声信号や、時刻情報などの追加記録情報をＭＰＥＧ方式等により符号化し多重化して、画像データおよび音声データを含む圧縮データに変換する符号化機能を有する。
【００７０】
一方、符号化／復号部４１は、圧縮データから画像データおよび音声データなどを分離し、画像データおよび音声データを画像信号および音声信号に復号する復号機能（再生機能）も有する（再生処理部）。
【００７１】
また、符号化／復号部４１は、制御部１０からの制御信号に基づいて、画像信号処理部３４から供給される画像信号に対して、自動ホワイトバランス制御、露出補正制御、デジタルズーム倍率に応じた拡大制御などをさらに行う。
【００７２】
ディスクインターフェース４２は、符号化／復号部４１から供給された圧縮データを記憶装置４４に書き込む。また、ディスクインターフェース４２は、記憶装置４４から圧縮データを読み出して符号化／復号部４１に供給する。なお、記憶装置４４は、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などの光ディスクであってもよい。
【００７３】
出力処理部４５は、システムバス１０９を介して主制御部１００により制御される。また、出力処理部４５は、符号化／復号部４１から供給される圧縮データを制御部１０や、編集装置２００に供給する。ここで、編集装置２００は、例えば、出力処理部４５が備える出力端子を介して撮像装置１と接続された情報処理装置であってもよい。ユーザは、この編集装置２００を用いて画像データや音声データなどの編集を行うことができる。
【００７４】
バッファメモリ４６は、例えばＳＤＲＡＭなどにより構成され、符号化／復号部４１における符号化または復号のための作業領域として利用される。
【００７５】
また、制御部１０は、図７に示したように、主制御部１００、ＲＯＭ（Ｒｅａｄ  Ｏｎｌｙ  Ｍｅｍｏｒｙ）１０１、ＲＡＭ（Ｒａｎｄｏｍ  Ａｃｃｅｓｓ  Ｍｅｍｏｒｙ）１０２、操作入力部２０やタッチパネル１２からの操作入力を受け付ける操作入力インターフェース１０３、タッチパネル１２を制御する表示制御部１０４、メモリカード１４を装填するメモリカードインターフェース１０５、撮影時刻の記録などに利用する時間情報を生成する時計回路１０６、およびプロジェクターモジュール１８を制御するプロジェクター制御部１０８が、システムバス１０９を介して接続されることにより構成される。
【００７６】
主制御部１００は、撮像装置１全体の処理を司るものであり、作業領域としてＲＡＭ１０２を使用する。また、主制御部１００は、モード操作部２４に対するユーザ操作により指定される動作モードに応じた制御を行なう。
【００７７】
例えば、動作モードが撮像モードである場合、主制御部１００は、プロジェクター制御部１０８およびプロジェクターモジュール１８への電力供給を停止し、表示制御部１０４を介して、タッチパネル１２に画像信号処理部３４から供給される画像信号を表示させる。
【００７８】
また、動作モードが再生モードである場合、主制御部１００は、撮影部３０への電力供給を停止し、符号化／復号部４１から供給される画像データの再生信号またはサムネイルに基づいて再生画面Ｐまたはインデックス画面Ｉを生成し、表示制御部１０４を介してタッチパネル１２に再生画面Ｐまたはインデックス画面Ｉを表示させる。
【００７９】
ＲＯＭ１０１には、撮影部３０を制御するためのプログラムや、画像信号や音声信号の記録制御および再生制御などを実行するためのプログラムが書き込まれている。
【００８０】
操作入力インターフェース１０３は、接続される操作入力部２０およびタッチパネル１２からの操作信号を主制御部１００に伝える。なお、図１に示したズーム操作部２１、マニュアル操作部２２、静止画撮像操作部２３、モード操作部２４および投影切替操作部２５などを操作入力部２０と総称する。
【００８１】
表示制御部１０４は、画像信号処理部３４から供給される画像信号や、主制御部１００により生成された再生画面Ｐまたはインデックス画面Ｉなどをタッチパネル１２に表示する制御を行なう。
【００８２】
メモリカードインターフェース１０５は、符号化／復号部４１から供給された圧縮データをメモリカード１４に書き込む。また、メモリカードインターフェース１０５は、メモリカード１４から圧縮データを読み出して符号化／復号部４１に供給する。
【００８３】
時計回路１０６は、年、月、日、時間、分、秒などを表わす時間情報を生成する。
【００８４】
プロジェクター制御部１０８は、プロジェクターモジュール１８から投影面３に画面を投影させるための制御を行なう。プロジェクター制御部１０８による制御に基づき、例えば再生画面Ｐまたはインデックス画面Ｉがプロジェクターモジュール１８から投影面３に投影される。
【００８５】
（２−２．撮像装置の動作）
次に、本実施形態による撮像装置１の動作について図８を参照して説明する。図８は、本実施形態による撮像装置１の動作処理を示すフローチャートである。
【００８６】
図８に示すように、まず、撮像装置１が撮影モード中に（ステップＳ２０４）、ユーザがモード操作部２４を操作し（ステップＳ２０８／Ｙｅｓ）、撮像装置１の動作モードが再生モードに切り替えられる（ステップＳ２１２）。撮像装置１の動作モードが再生モードに切替られると、表示制御部１０４は、タッチパネル１２にインデックス画面Ｉを表示する。
【００８７】
次いで、主制御部１００は、プロジェクターモジュール１８から投影を行なうための準備処理（起動処理）を行なう（ステップＳ２１６）。ここで行なう投影準備処理の具体的な内容については図９を用いて後述する。
【００８８】
次いで、再度モード操作部２４がユーザにより操作された場合は（ステップＳ２２０／Ｙｅｓ）、撮像装置１の動作モードは撮影モードに切り替えられる（ステップＳ２２４）。撮影モードに切り替えられると、プロジェクター制御部１０８およびプロジェクターモジュール１８への電力供給は停止される。
【００８９】
一方、撮影モードへの切り替えが行なわれず（ステップＳ２２０／Ｎｏ）、投影切替操作部２５がユーザにより操作され、投影開始の指示が入力された場合は（ステップＳ２２８／Ｙｅｓ）、プロジェクター制御部１０８はプロジェクターモジュール１８を制御し、投影開始処理を行い（ステップＳ２３２）、プロジェクターモジュール１８からの投影を開始する。投影開始処理の具体的な内容については図１０を用いて後述する。
【００９０】
次に、上述したステップＳ２１６に示す投影準備処理の具体例について図９を参照して説明する。図９に示すように、まず、主制御部１００は、ＲＯＭ１０１に格納されているプロジェクター制御プログラムをＲＡＭ１０２に読み込み、展開する（ステップＳ３０４）。これにより、主制御部１００がプロジェクター制御部１０８に各種処理を要求することが可能になる。
【００９１】
次いで、主制御部１００は、プロジェクターモジュール１８の初期設定を行う（ステップＳ３０８）。初期設定とは、例えば、投影する画面の解像度、サイズ、向きや色情報の設定などである。
【００９２】
次に、上述したステップＳ２３２に示す投影開始処理の具体例について図１０を参照して説明する。図１０に示すように、投影開始処理として、プロジェクター制御部１０８はプロジェクターモジュール１８の光源１８２を点灯する処理を行なう（ステップＳ４０４）。
【００９３】
本実施形態では、上述したように、図９に示す投影準備処理において、プロジェクター制御プログラムの展開やプロジェクターモジュール１８の初期設定が完了しているため、投影開始処理においてはプロジェクター制御部１０８により光源１８２の点灯処理を行なうだけでよい。
【００９４】
なお、本実施形態において、図８のステップＳ２１６に示す投影準備処理を行なっている間、若しくは、投影準備処理が終了する前に投影開始の指示が入力された場合に（ステップＳ２２８／Ｙｅｓ）、表示制御部１０４は、投影準備処理を行なっている旨をユーザに示してもよい。例えば、表示制御部１０４は、図１１に示すように、タッチパネル１２に示すインデックス画面Ｉに「投影準備中・・・」の文字８２を重ねて表示してもよい。
【００９５】
また、図８のステップＳ２１６に示す投影準備処理が終了した場合に、表示制御部１０４は、投影準備処理が終了した旨をユーザに示してもよい。例えば、表示制御部１０４は、図１２に示すように、タッチパネル１２に示すインデックス画面Ｉに「投影準備ＯＫ」の文字８４を表示してもよい。
【００９６】
なお、図８に示すフローチャートでは、撮像装置１の動作モードが再生モードに切り替えられた場合に、投影準備処理が開始され、その後、投影切替操作部２５がユーザにより操作されることで、投影が開始される。ここで、投影切替操作部２５の操作が撮像モードの場合に行なわれた場合の処理について説明する。
【００９７】
本実施形態に係る撮像装置１の動作モードが撮影モード中である場合に、投影開始操作部２５がユーザにより操作され、投影開始の指示が入力されると、撮像装置１の動作モードは再生モードに切り替えられ、投影準備処理が実行される。タッチパネル１２にはインデックス画面Ｉが表示され、投影準備処理中の場合は、図１１に示す例と同様に、「投影準備中・・・」の文字８２が表示される。投影準備処理が終了すると、続けて投影開始処理が実行される。投影開始処理が終了すると、プロジェクターモジュール１８から投影面３への投影が開始される。
【００９８】
＜３．第２の実施形態＞
上述した第１の実施形態では、図１０に示すように、投影開始処理として光源１８２の点灯処理を行った。投影開始処理は、投影開始の指示があった場合に行なわれる処理であるため、投影切替操作部２５の操作後、投影が開始されるまで、少なくとも点灯処理にかかる時間は待機しなければならない。光源１８２の点灯処理に要する時間は、用いられる光源１８２の性質によって異なる。例えば、上述した第１の実施形態で用いた白色ＬＥＤの場合は、点灯に数秒かかる。また、高圧水銀ランプなどの場合は、点灯に数十秒かかり、ユーザの待機時間が長くなる。
【００９９】
そこで、本発明の第２の実施形態による撮像装置１では、投影準備処理として光源１８２の点灯処理も行なうことで、より速やかに投影を開始する。
【０１００】
本実施形態による撮像装置１のプロジェクターモジュール１８の構成について図１３を参照して説明する。図１３に示すように、プロジェクターモジュール１８は、光源１８２と、光像表示部１８４と、投影レンズ１８６と、蓋１８８を備える。
【０１０１】
蓋１８８は、投影レンズ１８６からの投影を遮る箇所に設けられ、図示しない駆動部により開閉制御される。なお、図１３に示す蓋１８８は、光源１８２からの光を遮断する蓋の一例であり、その配置や動作方法は図１３に示す例に限定されない。
【０１０２】
次に、本実施形態による撮像装置１の投影準備処理について図１４を参照して説明する。
【０１０３】
図１４に示すように、主制御部１００は、ＲＯＭ１０１に格納されているプロジェクター制御プログラムをＲＡＭ１０２に読み込み、展開する（ステップＳ５０４）。これにより、主制御部１００がプロジェクター制御部１０８に各種処理を要求することが可能になる。
【０１０４】
次いで、主制御部１００は、プロジェクターモジュール１８の初期設定を行う（ステップＳ５０８）。初期設定とは、例えば、投影する画面の解像度、サイズ、向きや色情報の設定などである。
【０１０５】
次いで、主制御部１００は、蓋１８８を閉じた状態で光源１８２の点灯処理を行なう（ステップＳ５１２）。光源１８２が点灯されても、蓋１８８が閉じた状態であるため、光源１８２からの射出光による投影レンズ１８６の投影は蓋１８８に遮断される。
【０１０６】
その後、投影開始の指示が入力された場合は、投影開始処理として蓋１８８を開ける処理を行い、投影を開始する。このように、投影準備処理として光源１８２を点灯する処理も予め行うことで、より速やかに投影を開始することが出来る。なお、投影準備処理として光源１８２を点灯した後、一定の時間を経過しても投影開始の指示が入力されない場合は、光源１８２を消灯してもよい。
【０１０７】
＜４．まとめ＞
以上説明したように、本発明の実施形態にかかる撮像装置１によれば、予め投影準備処理を行うことで、その後、投影開始の指示が入力された場合に、プロジェクターモジュール１８からの投影を速やかに行なうことができる。
【０１０８】
また、光源１８２からの射出光を遮る蓋１８８を設け、投影準備処理として光源１８２の点灯処理を予め行うことで、プロジェクターモジュール１８からの投影をより速やかに行なうことができる。
【０１０９】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１０】
例えば、本明細書の撮像装置１の処理における各ステップは、必ずしもフローチャートとして記載された順序に沿って時系列に処理する必要はない。例えば、撮像装置１の処理における各ステップは、フローチャートとして記載した順序と異なる順序で処理されても、並列的に処理されてもよい。
【０１１１】
また、撮像装置１に内蔵されるハードウェアを、上述した撮像装置１の各構成と同等の機能を発揮させるためのコンピュータプログラムも作成可能である。また、該コンピュータプログラムを記憶させた記憶媒体も提供される。
【符号の説明】
【０１１２】
１      撮像装置
４      本体
６      ヒンジ機構
８      開閉部
１２    タッチパネル
１０    制御部
１８    プロジェクターモジュール
２０    操作入力部
２１    ズーム操作部
２２    マニュアル操作部
２３    静止画撮像操作部
２４    モード操作部
２５    投影切替操作部
３０    撮影部
３１    撮像光学系
４０    記録再生処理部
１００  主制御部
【図１】
2012070292.tif 000003
【図２】
2012070292.tif 000004
【図３】
2012070292.tif 000005
【図４】
2012070292.tif 000006
【図５】
2012070292.tif 000007
【図６】
2012070292.tif 000008
【図７】
2012070292.tif 000009
【図８】
2012070292.tif 000010
【図９】
2012070292.tif 000011
【図１０】
2012070292.tif 000012
【図１１】
2012070292.tif 000013
【図１２】
2012070292.tif 000014
【図１３】
2012070292.tif 000015
【図１４】
2012070292.tif 000016